【手続補正書】
【提出日】平成18年7月11日(2006.7.11)
【手続補正１】
【補正対象書類名】明細書
【補正対象項目名】特許請求の範囲
【補正方法】変更
【補正の内容】
【特許請求の範囲】
【請求項１】  体内の管に流体をポンピングする装置において、
放射線源との連結に十分な構造の近端およびそこから放射線を誘導するのに十分な構造の遠端を有する少なくとも１つの光ファイバと、
少なくとも１つの入口を有する少なくとも１つの流れチャンネルであって、光ファイバを経て流体に誘導された放射線によって流体の一部が前記入口を通って前記流れチャンネルへと移動するように、前記光ファイバの遠端を入口に対して前記流れチャンネル内に配置した少なくとも１つの流れチャンネルと、
を含有する体内の管に流体をポンピングする装置。
【請求項２】  放射線は、パルス化される請求項１記載の装置。
【請求項３】  前記少なくとも１つの光ファイバの遠端付近の流体中に生じた少なくとも１つの気泡の拡大と崩壊の結果として、流体が流れることとなる前記請求項のいずれか記載の装置。
【請求項４】  前記少なくとも１つの光ファイバが第２の光ファイバを含有し、前記少なくとも１つの入口が第２の入口を含有し、流体の少なくとも一部が前記第２の入口を通って前記流れチャンネルへと移動するように、前記第２の光ファイバを前記第２の入口に対して取り付けた前記請求項のいずれか記載の装置。
【請求項５】  前記装置は体内の管内の閉塞物質の近くに前記光ファイバの遠端を配置するのに十分な構造であり、放射線は閉塞物質の破壊に寄与するのに十分である前記請求項のいずれか記載の装置。
【請求項６】  前記少なくとも１つの光ファイバから誘導された放射線は、入口を通った流体の動きに実質的に寄与することなく体内の管内の閉塞物質の破壊に寄与するのに十分である前記請求項のいずれか記載の装置。
【請求項７】  放射線は、体内の管内の閉塞物質の破壊および入口を通る流体の動きに寄与するのに十分である前記請求項のいずれか記載の装置。
【請求項８】  前記少なくとも１つの流れチャンネルは、実質的に同心状に配置されて少なくとも１つの実質的に環状の領域を形成した複数の流れチャンネルを含有し、各領域は、これに関連する少なくとも１つの光ファイバの遠端を有する前記請求項のいずれか記載の装置。
【請求項９】  前記少なくとも１つの流れチャンネルは、各流れチャンネルの外側表面が少なくとも１つの他の流れチャンネルの外側表面に接触するように並行して配置され、各流れチャンネルは、これに関連する少なくとも１つの光ファイバの遠端を有する前記請求項のいずれか記載の装置。
【請求項１０】  前記少なくとも１つの流れチャンネルは、少なくとも１つの出口を含有し、流体の少なくとも一部は、前記流れチャンネルから前記出口を通って移動する前記請求項のいずれか記載の装置。
【請求項１１】  流れチャンネルの遠端は、出口を含有する請求項１０記載の装置。
【請求項１２】  放射線を１以上の光ファイバへと連続して誘導したときに、前記装置が回転する前記請求項のいずれか記載の装置。
【請求項１３】  前記少なくとも１つの光ファイバは、１より多い光ファイバを含有し、前記少なくとも１つの光ファイバの遠端は、別の光ファイバから縦方向にずれている前記請求項のいずれか記載の装置。
【請求項１４】  前記少なくとも１つの光ファイバの遠端を、体内の管内の閉塞物質を破壊してその少なくとも一部が前記流れチャンネルを通って移動するように配置する前記請求項のいずれか記載の装置。
【請求項１５】  前記少なくとも１つの光ファイバは、前記少なくとも１つの入口を通る流体の動きに実質的に寄与することなく体内の管内の閉塞物質の破壊に寄与するのに十分な第１の少なくとも１つの光ファイバ束と、前記少なくとも１つの入口を通る流体の動きに寄与するのに十分な第２の少なくとも１つの光ファイバ束とを含有し、放射線は各ファイバ束に誘導される前記請求項のいずれか記載の装置。
【請求項１６】  前記装置の遠端に隣接する体内管の内容物の温度上昇を十分に抑えて体内の管への実質的な熱的障害を回避するように、放射線を少なくとも１つの光ファイバへ誘導する前記請求項のいずれか記載の装置。
【請求項１７】  前記少なくとも１つの光ファイバの遠端は、前記装置の遠端と実質的に同一平面上にある前記請求項のいずれか記載の装置。
【請求項１８】  前記少なくとも１つの光ファイバは、１より多い光ファイバを含有し、前記少なくとも１つの光ファイバの遠端は、別の光ファイバから放射状にずれている前記請求項のいずれか記載の装置。
【請求項１９】  前記少なくとも１つの入口は、前記少なくとも１つの流れチャンネルの側壁に少なくとも１つの開口を含有する前記請求項のいずれか記載の装置。
【請求項２０】  前記流れチャンネルの出口は、前記流れチャンネルの少なくとも１つの入口から遠位にあり、前記少なくとも１つの光ファイバは、前記少なくとも１つの入口に隣接して配置されて、前記少なくとも１つの光ファイバへの放射線の誘導が前記少なくとも１つの入口を通って前記流れチャンネルへ入り、出口から出る流体の動きに寄与するようにした前記請求項のいずれか記載の装置。
【請求項２１】  前記少なくとも１つの光ファイバへの放射線の誘導は、少なくとも１つの光ファイバの遠端付近での音響現象に寄与する前記請求項のいずれか記載の装置。
【請求項２２】  前記流れチャンネルは、その近位部分よりその遠位部分でより可撓性である前記請求項のいずれか記載の装置。
【請求項２３】  前記装置の遠端付近の体内管の内容物の温度を供給するための温度感知素子をさらに含有する前記請求項のいずれか記載の装置。
【請求項２４】  前記装置の遠端付近の体内管の内容物の温度に基づいて少なくとも１つの光ファイバへの放射線の誘導を制御するためのコントローラをさらに含有する前記請求項のいずれか記載の装置。
【請求項２５】  前記装置は、体内の管に第１の流体を誘導するのに十分な構造である前記請求項のいずれか記載の装置。
【請求項２６】  前記流れチャンネルは、体内の内腔に第１の流体を誘導するのに十分な構造である前記請求項のいずれか記載の装置。
【請求項２７】  前記第１の流体は、血栓溶解剤、生物学的適合性のある冷却剤、レントゲン写真剤、染料、放射線吸収流体、およびそのいずれかの組み合わせからなる群から選択される流体を含有する請求項２５または２６記載の装置。
【請求項２８】  前記第１の流体の誘導は、放射線誘導時の体内の管への実質的な熱的障害を回避するのに十分である請求項２５、２６または２７記載の装置。
【請求項２９】  少なくとも１つの放射線パラメータは、周囲の組織を熱的に損傷することなく体内の内腔内の閉塞物質を破壊するように選択される前記請求項のいずれか記載の装置。
【請求項３０】  放射線はパルス化され、放射線パラメータはパルスの持続時間、パルス反復速度、デューティサイクル、パルスエネルギー、およびそのいずれかの組み合わせからなる群から選択される請求項２９記載の装置。
【請求項３１】  放射線は、流体中に少なくとも１つの気泡を生成するのに十分である前記請求項のいずれか記載の装置。
【請求項３２】  放射線はパルス化され、パルスの持続時間は５〜３０ｎｓである前記請求項のいずれか記載の装置。
【請求項３３】  放射線はパルス化され、パルス周波数は約１〜約１０ｋＨｚである前記請求項のいずれか記載の装置。
【請求項３４】  放射線エネルギーは、約５００μＪまでである前記請求項のいずれか記載の装置。
【請求項３５】  流体ポンピング方法において、
流れチャンネルを備えるステップと、
少なくとも１つの気泡が流体中に形成され、流体の一部が第１の位置から前記流れチャンネルを経て別の位置に移動するように、流体源中の前記第１の位置に放射線を誘導するステップと、
を包含する流体ポンピング方法。
【請求項３６】  放射線は、放射線のパルスを含有する請求項３５記載の方法。
【請求項３７】  パルスの持続時間は、約５〜約３０ｎｓである請求項３６記載の方法。
【請求項３８】  パルス周波数は、約１〜約１０ｋＨｚである請求項３６または３７記載の方法。
【請求項３９】  放射線は、約５００μＪまでである前記請求項のいずれか記載の方法。
【請求項４０】  前記流体は、放射線吸収流体である前記請求項のいずれか記載の方法。
【請求項４１】  前記少なくとも１つの気泡は、拡大し、かつ崩壊する前記請求項のいずれか記載の方法。
【請求項４２】  前記流体は、体内の管内にある前記請求項のいずれか記載の方法。
【請求項４３】  前記流れチャンネルは前記第１の位置に隣接した入口を含有し、流体は入口を通って移動させられる前記請求項のいずれか記載の方法。
【請求項４４】  前記流体源は体内の管であり、前記第１の位置は体内の管内にある前記請求項のいずれか記載の方法。
【請求項４５】  前記第１の位置は、体内の管内の閉塞物質の近くにある請求項４４記載の方法。
【請求項４６】  閉塞物質の少なくとも一部は、破壊される請求項４５記載の方法。
【請求項４７】  前記流れチャンネルは、その一方側面に少なくとも１つの入口を含有し、前記第１の位置は少なくとも１つの入口の近くにある前記請求項のいずれか記載の方法。
【請求項４８】  前記流れチャンネルは、その遠端に少なくとも１つの出口を含有し、別の位置は、少なくとも１つの出口の近くにある前記請求項のいずれか記載の方法。